(57)【要約】【課題】  介助用車利用者も一般利用者も迷うことなく、多目的トイレの操作スイッチを的確に選択することができる、多目的トイレの操作スイッチの案内システムを提供する。【解決手段】  介助用車利用者か一般利用者１かを検出するためのセンサー１６と、このセンサー１６からの出力に応じて前記介助用車利用者に適した操作スイッチ１９か前記一般利用者１に適した操作スイッチ１８の何れかを選択して表示する表示装置１８Ａ，１９Ａとを具備する。【選択図】  図２
2010233804.tif 000002
【特許請求の範囲】
【請求項１】
（ａ）介助用車利用者か一般利用者かを検出するためのセンサーと、
（ｂ）該センサーからの出力に応じて前記介助用車利用者に適した操作スイッチか前記一般利用者に適した操作スイッチの何れかを選択して表示する表示装置とを具備することを特徴とする多目的トイレの操作スイッチの案内システム。
【請求項２】
請求項１記載の多目的トイレの操作スイッチの案内システムにおいて、前記センサーは多目的トイレ内の床に配置される圧力センサー装置であり、利用者によってかけられた圧力の検知数により介助用車利用者か一般利用者かを判別することを特徴とする多目的トイレの操作スイッチの案内システム。
【請求項３】
請求項２記載の多目的トイレの操作スイッチの案内システムにおいて、前記圧力センサー装置を前記多目的トイレ外部のドアの近傍の床にも設置することを特徴とする多目的トイレの操作スイッチの案内システム。
【請求項４】
請求項２記載の多目的トイレの操作スイッチの案内システムにおいて、前記圧力センサー装置を前記多目的トイレのドアレールの下にも設置することを特徴とする多目的トイレの操作スイッチの案内システム。
【請求項５】
請求項２記載の多目的トイレの操作スイッチの案内システムにおいて、前記圧力検知数が４ヶ所以上であれば介助用車利用者であり、前記圧力検知数が１ヶ所又は２ヶ所で変動する場合には一般利用者と判別することを特徴とする多目的トイレの操作スイッチの案内システム。
【請求項６】
請求項１記載の多目的トイレの操作スイッチの案内システムにおいて、前記センサーは、トイレ外壁の低い位置に配置された介助用車利用者のための操作スイッチ、またはトイレ外壁の高い位置に配置された一般利用者のための操作スイッチであり、これらの操作スイッチの操作により介助用車利用者か一般利用者かを判別することを特徴とする多目的トイレの操作スイッチの案内システム。
【請求項７】
請求項１記載の多目的トイレの操作スイッチの案内システムにおいて、前記センサーは前記多目的トイレの天井に配置される撮像装置付センサーであり、前記多目的トイレでの利用者の占有面積の大小により介助用車利用者か一般利用者かを判別することを特徴とする多目的トイレの操作スイッチの案内システム。
【請求項８】
請求項７記載の多目的トイレの操作スイッチの案内システムにおいて、前記利用者の占有面積が大の場合は介助用車利用者であり、前記利用者の占有面積が小である場合には一般利用者であると判別することを特徴とする多目的トイレの操作スイッチの案内システム。
【発明の詳細な説明】
【技術分野】
【０００１】
本発明は、多目的トイレの操作スイッチの案内システムに係り、特に、介助用車利用者と一般利用者とが共用する鉄道車両の多目的トイレの操作スイッチの案内システムに関するものである。
【背景技術】
【０００２】
駅や公共建築物では、一般利用者用トイレと多目的トイレが別に設置されており、それぞれで操作方法は異なるが混乱することは少ない。しかし、鉄道車両の列車内トイレ、特に、近郊鉄道車両では、設置されているトイレが少なく、一般利用者用トイレと多目的トイレが兼用されていることが多い。
【０００３】
また、トイレ内の人の有無の検出に関する提案（下記特許文献１参照）がなされている。
【先行技術文献】
【特許文献】
【０００４】
【特許文献１】特開２００１−２４１２６３号公報
【発明の概要】
【発明が解決しようとする課題】
【０００５】
しかしながら、上記したように一般利用者用トイレと多目的トイレが兼用される場合には、多目的トイレの操作方法にあわせると、一般利用者が混乱することになる。例えば、車いすの人とその他の人では操作スイッチを押しやすい位置が異なるため、２つの操作スイッチの操作部が配置されることになり、どちらを操作すればよいのか迷うといった問題があった。
【０００６】
本発明は、上記状況に鑑みて、介助用車利用者も一般利用者も迷うことなく、多目的トイレの操作スイッチを的確に選択することができる多目的トイレの操作スイッチの案内システムを提供することを目的とする。
【課題を解決するための手段】
【０００７】
本発明は、上記目的を達成するために、
〔１〕多目的トイレの操作スイッチの案内システムにおいて、介助用車利用者か一般利用者かを検出するためのセンサーと、このセンサーからの出力に応じて前記介助用車利用者に適した操作スイッチか前記一般利用者に適した操作スイッチの何れかを選択して表示する表示装置とを具備することを特徴とする。
【０００８】
〔２〕上記〔１〕記載の多目的トイレの操作スイッチの案内システムにおいて、前記センサーは多目的トイレ内の床に配置される圧力センサー装置であり、利用者によってかけられた圧力の検知数により介助用車利用者か一般利用者かを判別することを特徴とする。
【０００９】
〔３〕上記〔２〕記載の多目的トイレの操作スイッチの案内システムにおいて、前記圧力センサー装置を前記多目的トイレ外部のドアの近傍の床にも設置することを特徴とする。
【００１０】
〔４〕上記〔２〕記載の多目的トイレの操作スイッチの案内システムにおいて、前記圧力センサー装置を前記多目的トイレのドアレールの下にも設置することを特徴とする。
【００１１】
〔５〕上記〔２〕記載の多目的トイレの操作スイッチの案内システムにおいて、前記圧力検知数が４ヶ所以上であれば介助用車利用者であり、前記圧力検知数が１ヶ所又は２ヶ所で変動する場合には一般利用者と判別することを特徴とする。
【００１２】
〔６〕上記〔１〕記載の多目的トイレの操作スイッチの案内システムにおいて、前記センサーは、トイレ外壁の低い位置に配置された介助用車利用者のための操作スイッチ、またはトイレ外壁の高い位置に配置された一般利用者のための操作スイッチであり、これらの操作スイッチの操作により介助用車利用者か一般利用者かを判別することを特徴とする。
【００１３】
〔７〕上記〔１〕記載の多目的トイレの操作スイッチの案内システムにおいて、前記センサーは前記多目的トイレの天井に配置される撮像装置付センサーであり、前記多目的トイレでの利用者の占有面積の大小により介助用車利用者か一般利用者かを判別することを特徴とする。
【００１４】
〔８〕上記〔７〕記載の多目的トイレの操作スイッチの案内システムにおいて、前記利用者の占有面積が大の場合は介助用車利用者であり、前記利用者の占有面積が小である場合には一般利用者であると判別することを特徴とする。
【発明の効果】
【００１５】
本発明によれば、介助用車利用者も一般利用者も迷うことなく、多目的トイレの操作スイッチを的確に選択することができる。
【図面の簡単な説明】
【００１６】
【図１】本発明の第１実施例を示す介助用車利用者と一般利用者の判別方法を説明する模式図である。
【図２】本発明の第１実施例を示す介助用車利用者と一般利用者とが兼用する多目的トイレの操作スイッチの案内システムの第１の態様を示す模式図である。
【図３】本発明の第１実施例を示す介助用車利用者と一般利用者とが兼用する多目的トイレの操作スイッチの案内システムの第２の態様を示す模式図である。
【図４】本発明の第２実施例を示す介助用車利用者と一般利用者とが兼用する多目的トイレの操作スイッチの案内システムの第１の態様を示す模式図である。
【図５】本発明の第２実施例を示す介助用車利用者と一般利用者とが兼用する多目的トイレの操作スイッチの案内システムの第２の態様を示す模式図である。
【図６】本発明の第３実施例を示す介助用車利用者と一般利用者とが兼用する多目的トイレの操作スイッチの案内システムの第１の態様を示す模式図である。
【図７】本発明の第３実施例を示す介助用車利用者と一般利用者とが兼用する多目的トイレの操作スイッチの案内システムの第２の態様を示す模式図である。
【図８】本発明の第４実施例を示す介助用車利用者と一般利用者とが兼用する多目的トイレの操作スイッチの案内システムの第１の態様を示す模式図である。
【図９】本発明の第４実施例を示す介助用車利用者と一般利用者とが兼用する多目的トイレの操作スイッチの案内システムの第２の態様を示す模式図である。
【発明を実施するための形態】
【００１７】
本発明の多目的トイレの操作スイッチの案内システムは、介助用車利用者か一般利用者かを検出するためのセンサーと、このセンサーからの出力に応じて前記介助用車利用者に適した操作スイッチか前記一般利用者に適した操作スイッチの何れかを選択して表示する表示装置とを具備する。
【実施例】
【００１８】
以下、本発明の実施の形態について詳細に説明する。
【００１９】
なお、本明細書においては、介助用車とは車椅子またはベビーカー等をさし、その介助用車を使用する者を介助用車利用者と定義する。
【００２０】
図１は本発明の第１実施例を示す介助用車利用者と一般利用者の判別方法を説明する模式図である。
【００２１】
この図に示すように、本実施例では、介助用車利用者であるベビーカー利用者３（ベビーカー２に乗っている子供と付添い人），車椅子利用者５と一般利用者１が兼用する多目的トイレの床６に圧力センサー装置７を配置し、その圧力センサー装置７からの圧力検知数を検出する。図１（ａ）に示すように、一般利用者１の場合は、歩行に伴って圧力検知数が１カ所又は２カ所変動するが、図１（ｂ）に示すような介助用車利用者であるベビーカー利用者３又は車椅子利用者５の場合には、ベビーカー２又は車椅子４とがそれぞれ４輪車であるため、常時４カ所以上が床面に接しており圧力検知数は４カ所以上となる。
【００２２】
このように、多目的トイレ内の床６に配置される圧力センサー装置７からの圧力検知数が１カ所又は２カ所と変動する場合には一般利用者と判断し、圧力検知数が常時４カ所以上検知されている場合には介助用車利用者３，５と判別する。
【００２３】
図２は本発明の第１実施例を示す介助用車利用者と一般利用者とが兼用する多目的トイレの操作スイッチの案内システムの第１の態様を示す模式図、図３はその案内システムの第２の態様を示す模式図である。
【００２４】
これらの図において、１１は多目的トイレ、１２はその多目的トイレ１１の天井、１３は多目的トイレ１１の床、１４は多目的トイレ１１の便器、１５は多目的トイレ１１のドア、１６は多目的トイレ１１の床１３に敷設される複数の素子からなる圧力センサー装置、１７は圧力センサー装置１６からの出力信号により圧力検知数を計測する制御装置、１８は制御装置１７に接続される一般利用者１の使用に適した操作スイッチ、１８Ａは操作スイッチ１８の表示装置、１９は制御装置１７に接続される介助用車利用者３の使用に適した操作スイッチ、１９Ａは操作スイッチ１９の表示装置である。
【００２５】
一般利用者１が多目的トイレ１１の中に入ると、多目的トイレ１１の床１３に敷設された複数の素子からなる圧力センサー装置１６により一般利用者１の歩行に伴う圧力検知数が出力される。この場合には、利用者が一般利用者１であることを示す１ヶ所乃至２ヶ所の圧力が検出されるので、制御装置１７からは一般利用者１の使用に適した操作スイッチ１８の表示装置（表示灯）１８Ａへと出力信号が送られて、操作スイッチ１８の表示装置１８Ａが駆動されて点灯する。
【００２６】
したがって、一般利用者１は迷うことなく操作スイッチ１８を操作することができる。
【００２７】
一方、図３に示されるように、介助用車利用者３が多目的トイレ１１の中に入ると、多目的トイレ１１の床１３に敷設された複数の素子からなる圧力センサー装置１６により介助用車利用者３の通過に伴う圧力検知数が出力される。この場合には、利用者が介助用車利用者３であることを示す４ヶ所以上の圧力が検出されるので、制御装置１７からは介助用車利用者３の使用に適した操作スイッチ１９の表示装置１９Ａへと出力信号が送られて、操作スイッチ１９の表示装置１９Ａが駆動されて点灯する。
【００２８】
したがって、介助用車利用者３は迷うことなく操作スイッチ１９を操作することができる。
【００２９】
図４は本発明の第２実施例を示す介助用車利用者と一般利用者とが兼用する多目的トイレの操作スイッチの案内システムの第３の態様を示す模式図、図５はその案内システムの第４の態様を示す模式図である。
【００３０】
この実施例では、圧力センサー装置１６Ａを多目的トイレ１１の外のドア１５の前に、または圧力センサー装置１６Ｂをドア１５のレール下に配置するように構成した。小型の多目的トイレ１１ではトイレに入ってから圧力を検知し、利用者を判別するのでは案内システムの動作が遅くなる恐れがあるが、本実施例では多目的トイレ１１の外のドア１５前かドア１５の通過時に検知するようにしたので、案内システムの動作が遅れることはない。このドア１５前の圧力センサー装置１６Ａまたはドアレール上の圧力センサー装置１６Ｂにより利用者の判別が行われた場合、多目的トイレ１１内での圧力センサー装置１６の動作は無効になるように制御装置１７で制御する。介助用車利用者３か一般利用者１かの判別は、多目的トイレ外では上記した第１実施例と同様に行い、ドア１５のレール上では２ヶ所が常に検知されていれば介助用車利用者と判断し、その他の場合は一般利用者と判定する。
【００３１】
図６は本発明の第３実施例を示す介助用車利用者と一般利用者とが兼用する多目的トイレの操作スイッチの案内システムの第５の態様を示す模式図、図７はその案内システムの第６の態様を示す模式図である。
【００３２】
この実施例では、多目的トイレ１１外の高い位置に第１の操作ボタン２０Ａを、低い位置に第２の操作ボタン２０Ｂを配置する。
【００３３】
そこで、一般利用者１によって第１の操作ボタン２０Ａが操作されると、トイレ内では一般利用者１の使用に適した操作スイッチ１８の表示装置１８Ａが点灯する。一方、介助用車利用者３によって第２の操作ボタン２０Ｂが操作されると、トイレ内では介助用車利用者３の使用に適した操作スイッチ１９の表示装置１９が点灯する。
【００３４】
よって、利用者１，３は迷うことなく、それぞれの操作スイッチを操作することができる。
【００３５】
図８は本発明の第４実施例を示す介助用車利用者と一般利用者とが兼用する多目的トイレの操作スイッチの案内システムの第５の態様を示す模式図、図９はその案内システムの第６の態様を示す模式図である。
【００３６】
これらの図において、２１は多目的トイレ、２２はその多目的トイレ２１の天井、２３は多目的トイレ２１の床、２４は多目的トイレ２１の便器、２５は多目的トイレ２１のドア、２６は多目的トイレ２１の天井２２に配置される撮像装置付きセンサー、２７は撮像装置付きセンサー２６に接続される利用者の占有面積を求める制御装置、２８は一般利用者１の使用に適した操作スイッチ、２８Ａは操作スイッチ２８の表示装置、２９は介助用車利用者３の使用に適した操作スイッチ、２９Ａは操作スイッチ２９の表示装置である。
【００３７】
この実施例では、多目的トイレ２１の天井２２に撮像装置付センサー２６を配置して、多目的トイレ２１内での利用者の占有面積を求める。図８に示すように、一般利用者１の場合は、撮像装置付センサー２６によって得られる一般利用者１の占有面積は頭と肩によるものだけであるので、その占有面積は小さい。したがって、制御装置２７からの出力信号は、一般利用者の使用に適した操作スイッチ２８に送られ、操作スイッチ２８の表示装置２８Ａが駆動され点灯する。
【００３８】
したがって、一般利用者１は迷うことなく操作スイッチ２８を操作することができる。
【００３９】
一方、図９に示されるように、介助用車利用者３が多目的トイレ２１の中に入ると、多目的トイレ２１の天井２２に配置された撮像装置付きセンサ２６からの出力信号は制御装置２７に送らる。介助用車利用者３の多目的トイレ２１内での占有面積は介助用車利用者３の頭や肩の面積に加えて車椅子等（ここではベビーカー２）の面積が加わるので、一般利用者の占有面積に比べると大きなものとなる。したがって、制御装置２７からの出力信号は、介助用車利用者３の使用に適した操作スイッチ２９に送られ、操作スイッチ２９の表示装置２９Ａが駆動されて点灯する。
【００４０】
したがって、介助用車利用者３は迷うことなく操作スイッチ２９を操作することができる。
【００４１】
このように、第４実施例では、撮像装置付きセンサー２６によって求められる利用者の占有面積の大小により介助用車利用者なのか一般利用者なのかが判別され、いずれの利用者も操作すべき操作スイッチを迷うことなく確実に操作することができる。
【００４２】
なお、本発明は上記実施例に限定されるものではなく、本発明の趣旨に基づき種々の変形が可能であり、これらを本発明の範囲から排除するものではない。
【産業上の利用可能性】
【００４３】
本発明の多目的トイレの操作スイッチの案内システムは、鉄道車両に設置される多目的トイレにおける操作スイッチの案内システムとして利用可能である。
【符号の説明】
【００４４】
１    一般利用者（一般歩行者）
２    ベビーカー
３，５    介助用車利用者
４    車椅子
６，１３，２３    多目的トイレの床
７，１６，１６Ａ，１６Ｂ    圧力センサー装置
１１，２１    多目的トイレ
１２，２２    多目的トイレの天井
１４，２４    多目的トイレの便器
１５，２５    多目的トイレのドア
１７，２７    制御装置
１８，２８    一般利用者の使用に適した操作スイッチ
１８Ａ，１９Ａ，２８Ａ，２９Ａ    操作スイッチの表示装置
１９，２９    介助用車利用者の使用に適した操作スイッチ
２０Ａ    トイレ外壁の高い位置の第１の操作ボタン
２０Ｂ    トイレ外壁の低い位置の第２の操作ボタン
２６    撮像装置付きセンサー
【図１】
2010233804.tif 000003
【図２】
2010233804.tif 000004
【図３】
2010233804.tif 000005
【図４】
2010233804.tif 000006
【図５】
2010233804.tif 000007
【図６】
2010233804.tif 000008
【図７】
2010233804.tif 000009
【図８】
2010233804.tif 000010
【図９】
2010233804.tif 000011